(57)【要約】【課題】乱張り舗装に近い自然な風合いが得られ、かつ敷設後に位置ずれの生じ難い舗装用ブロックを提供する。【解決手段】平板状の基礎部１１とこの基礎部の上面内側に突設された平板状の化粧部２０とからなり、基礎部１１の側面に敷設時の目地幅規制用として上下方向の小突条１２が複数本任意の間隔で突設され、基礎部１１および化粧部２０が十字形の平面形状に形成され、この化粧部２０が造り目地もしくは疑似目地等と呼ばれる目地状溝２４によって形状の異なる複数個の単位化粧部２１、２２、２３に分割され、この化粧部２０の側面および目地状溝２４の壁面が水平面に対して垂直を保ちながら水平方向に蛇行するなだらかな波形曲面に形成される。【選択図】      図１
0003124419.tif 000002
【実用新案登録請求の範囲】
【請求項１】
平板状の基礎部とこの基礎部の上面内側に突設された平板状の化粧部とからなり、上記基礎部の側面に敷設時の目地幅規制用として上下方向の小突条が複数本任意の間隔で突設された舗装用ブロックにおいて、上記の基礎部および化粧部が十字形の平面形状に形成され、この化粧部が基礎部の中心を通る縦軸および横軸に対して非対称に形成した造り目地もしくは疑似目地等と呼ばれる目地状溝によって形状の異なる複数個の単位化粧部に分割され、この化粧部の側面および上記目地状溝の壁面が水平面に対して垂直を保ちながら水平方向に蛇行するなだらかな波形曲面に形成されていることを特徴とする舗装用ブロック。
【請求項２】
十字形の化粧部が目地状溝によって平面形状が正方形の小型単位化粧部２個と、この小型単位化粧部２個を横に並べて長方形にした形の中型単位化粧部３個と、この中型単位化粧部２個を横に並べて正方形にした形の大型単位化粧部１個との合計３種類６個の単位化粧部に分割されている請求項１記載の舗装用ブロック。
【請求項３】
基礎部の側面から化粧部の側面までの水平距離が３〜１０ｍｍに設定され、目地状溝の幅が６〜２０ｍｍに設定されている請求項１または２に記載の舗装用ブロック。
【請求項４】
化粧部の上面外周縁および目地状溝の縁が面取りの無い、ほぼ直角な縦断面形状に形成されている請求項１ないし３のいずれかに記載の舗装用ブロック。
【請求項５】
化粧部の上面が自然石風のなだらかな凹凸面に形成され、かつ基礎部上面の外周縁が面取りされて斜面に形成されており、この斜面の上端に化粧部が形成されている請求項１ないし４のいずれかに記載の舗装用ブロック。
【考案の詳細な説明】
【技術分野】
【０００１】
この考案は、歩道および公園や住宅地の広場の舗装用として敷設するのに好適な舗装用ブロックに関するものである。
【背景技術】
【０００２】
舗装用ブロックとして種々のものが知られている。例えば、下記の特許文献１には、四角形状の平板状基部と、該基部の上面に突出する四角形状の平板状突出部とからなり、上記平板状基部の側面に平面形状が鋸刃形もしくは連続山形の係合部を形成し、敷設の際に隣接するブロックの係合部を互いに係合させるようにしたものが開示されている。この舗装用ブロックは、基礎部側面に係合部が存在するため、敷設後の位置ずれが生じない反面、多数個の四角形ブロックが規則的に配列されるため、舗装面が人工的な外観となり、自然石を用いた乱張り舗装の風合いが得られなかった。
【特許文献１】特開２００１−６４９０２号公報
【０００３】
また、敷設時に自然な風合いを呈する舗装用ブロックとして、下記の特許文献２には、外周が隣り合う２辺を１組とする合計３組６辺で形成され、各組の隣り合う２辺は一方が他方と互いに補完する形状に、かつ各組の２辺は他の組の２辺とは異なる形状に形成され、かつブロック表面が線形の疑似目地部によって複数の区画に分割されたものが開示されている。この舗装用ブロックは、乱張り舗装に近い自然な風合いが得られる反面、敷設に際して各ブロックの向きが限定されるため、外形が等しく、疑似目地部の形状が異なる複数種類のブロックを用意する必要があり、また各辺がなだらかに形成されるため、敷設後に位置がずれ易いという問題があった。
【特許文献２】特開２００２−２８５５０４号公報
【考案の開示】
【考案が解決しようとする課題】
【０００４】
この考案は、乱張り舗装に近い自然な風合いが得られ、かつ敷設後に位置ずれの生じ難い舗装用ブロックを提供するものである。
【課題を解決するための手段】
【０００５】
この考案に係る舗装用ブロックは、平板状の基礎部とこの基礎部の上面内側に突設された平板状の化粧部とからなり、上記基礎部の側面に敷設時の目地幅規制用として上下方向の小突条が複数本任意の間隔で突設された舗装用ブロックにおいて、上記の基礎部および化粧部が十字形の平面形状に形成され、この化粧部が基礎部の中心を通る縦軸および横軸に対して非対称に形成した造り目地もしくは疑似目地等と呼ばれる目地状溝によって形状の異なる複数個の単位化粧部に分割され、この化粧部の側面および上記目地状溝の壁面が水平面に対して垂直を保ちながら水平方向に蛇行するなだらかな波形曲面に形成されていることを特徴とする。
【０００６】
上記の舗装用ブロックは、従来と同様に地盤上にあらかじめ形成した平坦なサンドクッション層上にその多数個を密に並べて敷設される。その場合、基礎部が十字形であるため、基礎部の横軸を一直線に揃えると縦軸はジグザグ配列となり、縦軸を一直線に揃えると横軸がジグザグ配列となる。そして、隣接するブロック相互の間隔が、従来と同様に基礎部側面の目地幅規制用小突条で均一に揃えられる。また、隣接する２個の舗装用ブロックの化粧部間に形成される溝および上記化粧部を分割する目地状溝にセメントモルタルや結合剤入り目地砂等の硬化型目地材料を流し込み、これを硬化することにより、敷設された舗装用ブロックが地盤に固定される。この場合、上記化粧部の側面が水平方向に蛇行するなだらかな波形曲面に形成されているため、硬化形目地材料と化粧部側面とが噛合い、隣接ブロックの一方に対する他方の水平移動が防止される。
【０００７】
また、化粧部を分割する目地状溝にも同様の硬化型目地材料が流し込まれるため、十字形の舗装用ブロックを敷設した外観は失われ、単位化粧部の形状からなる複数種類の舗装用ブロックを敷設したと同様の外観を呈する。しかも、単位化粧部の形状からなる複数種類の舗装用ブロックを１個ずつ並べる場合に比べて能率的に敷設することができる。そして、化粧部の側面および目地状溝の溝壁がともに波形曲面に形成されており、かつ十字形の化粧部が上記の単位化粧部に分割され、この単位化粧部が縦軸、横軸に対して非対称に配置されているため、自然石で乱張り舗装した外観となる。
【０００８】
上記十字形の化粧部を目地状溝によって分割して得られる単位化粧部の形状は任意であり、三角形、四角形その他を選択できるが、平面形状が正方形の小型単位化粧部２個と、この小型単位化粧部２個を横に並べて長方形にした形の中型単位化粧部３個と、この中型単位化粧部２個を横に並べて正方形にした形の大型単位化粧部１個との３種類合計６個の単位化粧部に分割することが好ましく、この場合は、乱張り舗装に一層近い外観が得られ、しかも単位化粧部がすべて方形であるため、製造が容易である。
【０００９】
上記の舗装用ブロックにおいて、基礎部の側面から化粧部の蛇行側面までの水平距離は、３〜１０ｍｍが好ましく、この場合は隣接する舗装用ブロックの化粧部との間に形成される溝の幅が狭い所で６ｍｍ以上、広い所で２０ｍｍ未満という広い幅になり、そのため硬化後の目地材料の強度が大幅に向上し、破壊が生じない。ただし、上記の水平距離が３ｍｍ未満では破壊が起き易く、反対に１０ｍｍ超では硬化型目地材料であっても施工時に段差が生じ易くなる。また、目地状溝の幅は６〜２０ｍｍが好ましく、これによって目地状溝の幅が敷設後の化粧部間に形成される目地溝の幅と近似し、敷設後の外観が良好となる。ただし、６ｍｍ未満では硬化型目地材料の充填が困難となる場合が生じ、２０ｍｍを超えると目地部と化粧部間に段差が生じ易くなり、また目地材料の使用量が過大となる。
【００１０】
上記化粧部の上面外周縁および目地状溝の縁は、面取りの無い、ほぼ直角な縦断面形状に形成することができ、この場合は、補強目地材料を流し込んだ際、目地材料の表面高さを化粧部表面と揃えて平目地に形成することができ、これによって段差が解消し、バリアフリー舗装に対応することができる。上記化粧部の上面外周縁および目地状溝の縁は、通常は面取りし、目地材料の充填形式を沈み目地とし、目地材料の表面高さを化粧部表面よりも低く下げて目地材料が縁から剥離するのを避けていたため、段差が生じていたが、この考案では、目地の幅が増大し、強度が向上するため、上記のように平目地として段差を無くすることができる。
【００１１】
上記化粧部の上面は、自然石風のなだらかな凹凸面に形成することができ、この場合は自然石の風合いが更に向上する。また、上記基礎部上面の外周縁は、面取りして斜面に形成し、この斜面の上端に前記の化粧部を形成することができ、この場合は成型時の型抜きが容易となり、かつ基礎部の上面外周縁が欠損し難くなる。
【考案の効果】
【００１２】
この考案に係る舗装用ブロックは、敷設し、硬化型目地材料を流し込み、これが硬化した後は、目地材料と化粧部側面との係合により、隣接ブロックの一方に対する他方の水平移動が防止される。また、化粧部を分割する目地状溝にも同様の硬化型目地材料が流し込まれるため、十字形の舗装用ブロックを敷設した外観は失われ、単位化粧部の形状からなる複数種類の舗装用ブロックを敷設したと同様の外観を呈する。しかも、能率的に敷設することができる。そして、化粧部の側面および目地状溝の溝壁がともに波形曲面に形成されており、かつ十字形の化粧部が上記の単位化粧部に分割されているため、自然石で乱張り舗装した外観となる。
【００１３】
特に請求項２に係る考案は、ブロック全体が３種類合計６個の単位化粧部の組み合わせで構成され、乱張り舗装に一層近い外観が得られ、かつ製造が容易である。また、請求項３に係る考案は、硬化後の目地材料の強度が大幅に向上し、かつ目地状溝の幅が敷設後の化粧部間に形成される目地溝の幅と同程度となり、敷設後の外観が良好となる。また、請求項４に係る考案は、隣接する２個のブロック間に平目地を形成して段差を解消することができる。また、請求項５に係る考案は、自然石の風合いが更に向上し、かつ成型時の型抜きが容易となり、かつ基礎部の強度が向上する。
【考案を実施するための最良の形態】
【００１４】
図１において、舗装用ブロック１０は、平板を十字形に切抜いた形の基礎部１１と、その上面内側に十字形に並べて突設された３種類合計６個の平板状の単位化粧部２１、２２、２３とからなり、これら３種類６個の単位化粧部２１、２２、２３によって化粧部２０が構成されている。単位化粧部２１は、３種類の単位化粧部２１、２２、２３の中でサイズが最小の小型単位化粧部であり、ほぼ正方形に形成され、この小型単位化粧部２１を２個横に並べてサイズが中位で長方形の中型単位化粧部２２が形成され、この中型単位化粧部２２を２個横に並べてサイズが最大で正方形の大型単位化粧部２３が形成されている。そして、上記２個の小型単位化粧部２１、３個の中型単位化粧部２２および１個の大型単位化粧部２３が造り目地または疑似目地と呼ばれる目地状溝２４を介して並び、十字形の化粧部２０を構成している。なお、基礎部１１の側面には、敷設時に目地幅を規制するための小突条（目地キープと呼ばれる）１２が複数本、上下方向に任意間隔で突設されている。
【００１５】
上記の基礎部１１は、図２に示すように、正方形の四隅を切り欠いた形の十字形をなし、直角に交差する縦棒部１３と横棒部１４とからなり、縦棒部１３および横棒部１４は、それぞれ長さが幅の２倍の長方形を形成し、縦棒部１３の上端および横棒部１４の右端にそれぞれ長方形の中型単位化粧部２２が横長および縦長に配置され、横棒部１４の左端から縦棒部１３と横棒部１４の交差部にまたがって正方形の大型単位化粧部２３が配置され、この大型単位化粧部２３と右方の中型単位化粧部２２との間に上から小型単位化粧部２１および縦長配置の中型単位化粧部２２の上端が配置され、この中型単位化粧部２２の下端および小型単位化粧部２１が縦棒部１３の下端に配置されている。
【００１６】
上記の単位化粧部２１、２２、２３の側面は水平方向にゆるやかに蛇行し、その周期および振幅が不規則に変化する曲面に形成され、単位化粧部２１、２２、２３の側面から基礎部１１の側面までの水平距離は３〜１０ｍｍに設定され、隣接する２個の単位化粧部２１、２２間、２１、２３間、２２、２３間には幅６〜２０ｍｍの目地状溝２４が形成される。また、上記の平板状基礎部１１は、図３に示すように、その上面外周縁が面取りされて化粧部２０との間が傾斜部１１aを形成し、この傾斜部１１aの上端に上記の単位化粧部２１、２２、２３からなる化粧部２０が成型により突設される。
【００１７】
上記の舗装用ブロック１０は、図４に示すように、任意のブロック１０の周りに６個のブロック１０が配置され、上段側２個のブロック１０および下段側２個のブロック１０とは、中心側ブロック１０の縦棒部１３と横棒部１４の交差する凹部に上段または下段のブロック１０の縦棒部１３や横棒部１４の角部を係合させながら、すなわちインターロッキングブロックとして多数個を組み合わせながら敷設される。その場合、上記の舗装用ブロック１０は、十字形であるため、大型単位化粧部２３を上下左右のいずれに向けても支障なく敷設することができる。したがって、乱張り舗装状の舗装が可能である。そして、縁石部３０との間に生じた空所Ａ、Ｂ、Ｃは、該空所の形状に応じて上記の舗装用ブロック１０を切断、割裂して得られたもので埋めることができる。また、空所Ａ、Ｂ、Ｃその他の形状に対応する舗装用ブロックをあらかじめ成型で用意してもよい。
【００１８】
上記の舗装用ブロック１０は、上記図４の配置で地盤上に隙間なく敷設される。図５は、２個の舗装用ブロック１０の隣接部を断面で示しており、３１は地盤上のサンドクッション層であり、左側の舗装用ブロック１０は、小型単位化粧部２１と中型単位化粧部２２とが示され、右側の舗装用ブロック１０は、大型単位化粧部２３が示され、これらの単位化粧部２１、２２、２３の上面２１a、２２a、２３aは、自然石風のなだらかな凹凸面に形成されている。
【００１９】
そして、左右の舗装用ブロック１０、１０間の目地隙間Ｄは前記の目地キープと呼ばれる小突条１２（図３参照）で設定され、この目地隙間Ｄおよび単位化粧部２１、２２間の目地状溝２４にそれぞれ硬化型目地材料Ｚが流し込まれ、硬化される。なお、単位化粧部２１、２２、２３において、その上面２１a、２２a、２３aの外周縁は面取りされず、縦断面がほぼ直角に形成され、上記の硬化型目地材料Ｚの充填により、図示の平目地が形成され、段差が解消される。
【図面の簡単な説明】
【００２０】
【図１】実施例の斜視図である。
【図２】実施例の平面図である。
【図３】実施例の正面図である。
【図４】敷設状態の平面図である。
【図５】敷設されたブロックの隣接部の断面図である。
【符号の説明】
【００２１】
１０：舗装用ブロック
１１：基礎部、１１a：傾斜部、１２：小突条（目地キープと呼ばれる）
１３：縦棒部、１４：横棒部
２０：化粧部
２１：小型単位化粧部、２２：中型単位化粧部、２３：大型単位化粧部
２１a、２２a、２３a：上面
２４：目地状溝（造り目地または疑似目地と呼ばれる）
３０：縁石部
Ａ、Ｂ、Ｃ：空所、Ｄ：目地隙間
Ｚ：硬化型目地材料
【図１】
0003124419.tif 000003
【図２】
0003124419.tif 000004
【図３】
0003124419.tif 000005
【図４】
0003124419.tif 000006
【図５】
0003124419.tif 000007